(57)【要約】【課題】下枠の内レールと室内側端部との間に設けられる部材の脱着が容易で清掃が容易な下枠フラットサッシを提供する。【解決手段】下枠１１は室内側端部に内外レールと略同じ高さの室内立ち上がり片２３を有し、室内立ち上がり片２３と内レール３２の間を渡すように室内上面材３３が設けられ、室内上面材３３は下枠上面において左右の縦枠間の略全長に渡って設けられると共に、下枠１１の見込方向に弾発係止可能な係止片３８ｃを備え、係止片３８ｃは内レール３２に対して係止されることで室内上面材３３を下枠１１に固定する。【選択図】図５
2010133186.tif 000002
【特許請求の範囲】
【請求項１】
建物開口部に設けられる枠体内に内外障子を引き違い状に納め、前記枠体を構成する下枠は前記内外障子を案内する内外レールの上端を含む敷居面が略平坦状に形成された下枠フラットサッシにおいて、
前記下枠は室内側端部に前記内外レールと略同じ高さの室内立ち上がり片を有し、該室内立ち上がり片と前記内レールの間を渡すように室内上面材が設けられ、該室内上面材は前記下枠上面において前記左右の縦枠間の略全長に渡って設けられると共に、前記下枠の見込方向に弾発係止可能な係止片を備え、該係止片は前記内レールに対して係止することで前記室内上面材を下枠に固定することを特徴とする下枠フラットサッシ。
【請求項２】
前記内レールは室内側面に前記室内上面材の室外端部を支持する突片が形成され、前記室内上面材の係止片は前記内レールの突片に対して弾発係止固定されることを特徴とする請求項１記載の下枠フラットサッシ。
【請求項３】
前記室内上面材の両端部には端部キャップが設けられ、該端部キャップに前記係止片が形成されることを特徴とする請求項１または２記載の下枠フラットサッシ。
【請求項４】
前記端部キャップは前記係止片と一体的な操作部を上方突出状に有し、該操作部と係止片は前記端部キャップの本体部に対して弾性的に支持されてなることを特徴とする請求項３記載の下枠フラットサッシ。
【請求項５】
前記係止片を有する端部キャップは合成樹脂により形成されてなることを特徴とする請求項３または４記載の下枠フラットサッシ。
【請求項６】
前記下枠の室内立ち上がり片と内レールの間の上面には一方の縦枠側端部にコーナーブロックが設けられると共に、他方の縦枠側端部に前記内障子と当接する戸当たりストッパーが設けられ、前記室内上面材は前記コーナーブロックと戸当たりストッパーの間に設けられることを特徴とする請求項１〜５のいずれか１項に記載の下枠フラットサッシ。
【請求項７】
前記室内上面材は前記内外障子の召し合わせ部分において長手方向に分割されてなることを特徴とする請求項１〜６のいずれか１項に記載の下枠フラットサッシ。
【発明の詳細な説明】
【技術分野】
【０００１】
本発明は、枠体を構成する下枠の敷居面が略平坦状に形成された下枠フラットサッシに関し、特に下枠の内外レール間の領域に金属製の部材を設けて下枠上面をより平坦状とした下枠フラットサッシに関する。
【背景技術】
【０００２】
従来、建物開口部に設けられる枠体内に内外障子を引き違い状に納め、内外障子を案内する内外レールの上端を含む下枠の敷居面を略平坦状に形成した下枠フラットサッシが知られている。下枠フラットサッシは、敷居面をできるだけ平坦に近くするため、内外障子を案内する内外レールの間や内レールと下枠室内端部との間に、カバー材を設けている。このような下枠フラットサッシとしては、例えば特許文献１に挙げるようなものがある。
【特許文献１】特開２００４−２９３２２１号公報
【発明の開示】
【発明が解決しようとする課題】
【０００３】
下枠の上面において、内レールと下枠室内端部との間に設けられるカバー材は、内レールの上端位置に近い上面を有するように形成されている。このため、下枠本体の上面とカバー材との間には空間部分が生じる。この空間部分には、カバー材上面に流れてきた水が導かれ、さらに下枠の中空内部を介して水は室外に排水される。このため、ゴミや埃がカバー材の下方に侵入することがあり、適宜清掃を行う必要がある。しかし、従来の下枠フラットサッシにおいては、カバー材の脱着が容易ではなく、したがって清掃を行うことも困難であった。
【０００４】
本発明は前記課題を鑑みてなされたものであり、下枠の内レールと室内側端部との間に設けられる部材の脱着が容易で清掃が容易な下枠フラットサッシを提供することを目的とする。
【課題を解決するための手段】
【０００５】
前記課題を解決するため、本発明に係る下枠フラットサッシは、建物開口部に設けられる枠体内に内外障子を引き違い状に納め、前記枠体を構成する下枠は前記内外障子を案内する内外レールの上端を含む敷居面が略平坦状に形成された下枠フラットサッシにおいて、
前記下枠は室内側端部に前記内外レールと略同じ高さの室内立ち上がり片を有し、該室内立ち上がり片と前記内レールの間を渡すように室内上面材が設けられ、該室内上面材は前記下枠上面において前記左右の縦枠間の略全長に渡って設けられると共に、前記下枠の見込方向に弾発係止可能な係止片を備え、該係止片は前記内レールに対して係止することで前記室内上面材を下枠に固定することを特徴として構成されている。
【０００６】
また、本発明に係る下枠フラットサッシは、前記内レールは室内側面に前記室内上面材の室外端部を支持する突片が形成され、前記室内上面材の係止片は前記内レールの突片に対して弾発係止固定されることを特徴として構成されている。
【０００７】
さらに、本発明に係る下枠フラットサッシは、前記室内上面材の両端部には端部キャップが設けられ、該端部キャップに前記係止片が形成されることを特徴として構成されている。
【０００８】
さらにまた、本発明に係る下枠フラットサッシは、前記端部キャップは前記係止片と一体的な操作部を上方突出状に有し、該操作部と係止片は前記端部キャップの本体部に対して弾性的に支持されてなることを特徴として構成されている。
【０００９】
そして、本発明に係る下枠フラットサッシは、前記係止片を有する端部キャップは合成樹脂により形成されてなることを特徴として構成されている。
【００１０】
また、本発明に係る下枠フラットサッシは、前記下枠の室内立ち上がり片と内レールの間の上面には一方の縦枠側端部にコーナーブロックが設けられると共に、他方の縦枠側端部に前記内障子と当接する戸当たりストッパーが設けられ、前記室内上面材は前記コーナーブロックと戸当たりストッパーの間に設けられることを特徴として構成されている。
【００１１】
さらに、本発明に係る下枠フラットサッシは、前記室内上面材は前記内外障子の召し合わせ部分において長手方向に分割されてなることを特徴として構成されている。
【発明の効果】
【００１２】
本発明に係る下枠フラットサッシによれば、下枠の室内立ち上がり片と内レールの間を渡すように室内上面材が設けられ、室内上面材は下枠上面において左右の縦枠間の略全長に渡って設けられると共に、下枠の見込方向に弾発係止可能な係止片を備え、係止片は内レールに対して係止することで室内上面材を下枠に固定することにより、室内上面材を下枠に対して容易に脱着することができ、下枠上面の内レールと室内立ち上がり片との間の清掃を容易にすることができる。
【００１３】
また、本発明に係る下枠フラットサッシによれば、内レールは室内側面に室内上面材の室外端部を支持する突片が形成され、室内上面材の係止片は内レールの突片に対して弾発係止固定されることにより、係止片による下枠への係止を容易に行うことができ、下枠に対する脱着をより容易にすることができる。
【００１４】
さらに、本発明に係る下枠フラットサッシによれば、室内上面材の両端部には端部キャップが設けられ、端部キャップに係止片が形成されることにより、室内上面材本体は簡易な形状として製造を容易にすることができる。
【００１５】
さらにまた、本発明に係る下枠フラットサッシによれば、端部キャップは係止片と一体的な操作部を上方突出状に有し、操作部と係止片は端部キャップの本体部に対して弾性的に支持されてなることにより、室内上面材の上方から容易に係止及びその解除操作を行うことができ、下枠に対する脱着をより容易にすることができる。
【００１６】
そして、本発明に係る下枠フラットサッシによれば、係止片を有する端部キャップは合成樹脂により形成されてなることにより、係止片の弾性変形を大きくして容易に弾発係止をなすことができる。
【００１７】
また、本発明に係る下枠フラットサッシによれば、下枠の室内立ち上がり片と内レールの間の上面には一方の縦枠側端部にコーナーブロックが設けられると共に、他方の縦枠側端部に内障子と当接する戸当たりストッパーが設けられ、室内上面材はコーナーブロックと戸当たりストッパーの間に設けられることにより、凹凸を有する縦枠の内周面に室内上面材の端部が突き当たらないので、縦枠が脱着の際の妨げとなることがなく、容易に脱着を行うことができる。
【００１８】
さらに、本発明に係る下枠フラットサッシによれば、室内上面材は内外障子の召し合わせ部分において長手方向に分割されてなることにより、内外障子を枠体から取り外すことなく、容易に室内上面材を下枠に対し脱着することができる。
【発明を実施するための最良の形態】
【００１９】
本発明の実施形態について図面に沿って詳細に説明する。図１には本実施形態における下枠フラットサッシの縦断面図を、図２には下枠フラットサッシの横断面図を、それぞれ示している。これら各図に示すように、本実施形態の下枠フラットサッシは、建物開口部に設けられる枠体１内に内障子２と外障子３が引き違い状に納められてなり、外障子３の室外側にはさらに網戸４が走行自在に納められている。
【００２０】
枠体１は、上枠１０と下枠１１及び左右の縦枠１２、１２を方形状に枠組みして構成されている。また枠体１は、金属枠１ａの室内側露出面を樹脂枠１ｂで覆っており、金属枠１ａが室内側に直接露出しないようにすることで、断熱性及び意匠性を良好にしている。
【００２１】
枠体１を構成する各枠材について見ると、上枠１０は金属上枠１０ａと樹脂上枠１０ｂからなっている。上枠１０の内周面には、内障子２を上枠１０の長手方向に案内する内案内部１０ｃと、外障子３を上枠１０の長手方向に案内する外案内部１０ｄとが形成されている。内案内部１０ｃは、樹脂上枠１０ｂによって構成されており、外案内部１０ｄは、金属上枠１０ａ及び樹脂上枠１０ｂによって構成されている。下枠１１は、金属下枠２０と樹脂下枠２５からなっている。下枠１１の詳細な構造については、後述する。
【００２２】
縦枠１２は、金属縦枠１２ａと樹脂縦枠１２ｂからなっている。内障子２が配置される側の縦枠１２は、内障子２の外周面と対向する位置に内周側に向かって突出する内周突出片１２ｃを有しており、内障子２に設けられる気密材２ａが当接することで、枠体１と内障子２との間の気密性を確保する。また、外障子３が配置される側の縦枠１２は、外障子３の外周面と対向する位置に内周側に向かって突出する内周突出片１２ｃを有しており、外障子３に設けられる気密材３ａが当接することで、枠体１と外障子３との間の気密性を確保する。
【００２３】
内障子２と外障子３は、いずれも方形状に框組みされてなる框体５内にガラス板からなるパネル体６を納めて構成され、下端部にはこれらを走行自在とするための戸車７が設けられている。框体５は、枠体１と同様に金属材の室内側露出面を覆うように樹脂材が設けられており、断熱性及び意匠性の向上を図っている。
【００２４】
次に、下枠１１の構成について詳細に説明する。図３には図１の下枠１１付近拡大図を、図４には下枠１１の分解断面図を、それぞれ示している。図３に示すように、下枠１１は、金属下枠２０の室内側露出面を覆うように樹脂下枠２５が設けられて構成されている。図４に示すように金属下枠２０は、断面中空状に形成されると共に、上面には室外側から順に網戸レール２２と外レール２１及び室内立ち上がり片２３が突出状に形成されている。これら網戸レール２２と外レール２１及び室内立ち上がり片２３は、いずれも上端位置が略同じ高さとなるように形成されている。また、樹脂下枠２５は、金属下枠２０の上面を覆うように設けられる上面被覆部材２６と、金属下枠２０の室内側面を覆うように設けられる室内面被覆部材２７とからなっている。
【００２５】
図４に示すように、金属下枠２０の上面には、外レール２１と室内立ち上がり片２３との間に大きな凹状の領域が形成され、この領域に樹脂下枠２５を構成する上面被覆部材２６が取付けられる。上面被覆部材２６は、金属下枠２０の上面を被覆する上面被覆部２６ａと、金属下枠２０の室内立ち上がり片２３の室外面を被覆する立ち上がり被覆部２６ｂとで、断面略Ｌ字状をなす形状に形成されている。
【００２６】
金属下枠２０の外レール２１よりも室内側の上面には、樹脂枠係合片２４が突出状に形成されており、上面被覆部材２６は室外端部が樹脂枠係合片２４に係合する。また、室内立ち上がり片２３の上端近傍には、係合部２３ａが形成されており、上面被覆部材２６の立ち上がり被覆部２６ｂが係合し固定がなされる。
【００２７】
上面被覆部材２６の上面には、内レール部材３０が載置される。内レール部材３０は金属材からなり、上面被覆部材２６に載置される基部３１と、基部３１から上方に突出状に形成される内レール３２とからなっている。内レール３２の上端位置は、外レール２１や室内立ち上がり片２３の上端位置と略同じ高さとなるようにされている。
【００２８】
上面被覆部材２６の上面被覆部２６ａには、内レール部材３０の基部３１を係合させる内レール係合部２６ｃが形成されており、内レール部材３０の基部３１は内レール係合部２６ｃに係合すると共に、ネジ止めにより上面被覆部材２６に対して固定される。この固定に用いられるネジ２８は、金属下枠２０の上面を貫通して中空内部にまで達しており、これによって内レール部材３０を金属下枠２０に対しても固定している。
【００２９】
このように、内レール３２を金属下枠２０とは別体の金属材で形成した内レール部材３０に設け、この内レール部材３０を樹脂材からなる上面被覆部材２６に載置固定しているので、内レール３２は金属下枠２０と熱絶縁されている。したがって、内障子２の荷重を支える内レール３２の強度を充分に確保しつつ、これが室内側に露出することによる断熱性の悪化を防ぐことができる。
【００３０】
また、内レール３２と外レール２１の間の領域には、長手方向略全長に渡って中間上面材３４が設けられる。中間上面材３４は、金属材によって形成されており、上面３４ａは内障子２の室外面近傍から外障子３の戸車７近傍に渡ると共に、内レール３２や外レール２１及び室内立ち上がり片２３の上端位置と略同じ高さとなるように形成されている。
【００３１】
中間上面材３４を下枠１１に固定するため、上面被覆部材２６の室外端部上面には上面材取付部品３５が設けられる。上面材取付部品３５は、小片状の部品として形成されており、下枠１１の長手方向に沿って所定間隔おきに複数が設けられる。中間上面材３４は、各上面材取付部品３５と係合されることにより、長手方向に沿って複数個所で下枠１１に対して固定される。
【００３２】
金属下枠２０の室内側面を被覆するように設けられる室内面被覆部材２７は、金属下枠２０の室内側面を覆う室内面被覆部２７ａと、その上端から室内側に向かって延出されるアングル構成部２７ｂとが一体的に形成されて断面略Ｌ字状をなすように形成されている。アングル構成部２７ｂは、枠体１の室内側に設けられる床材（図示しない）の上面に当接してネジ止めされ、さらにその上面にはアングルカバー材１４が設けられる。
【００３３】
内レール３２と室内立ち上がり片２３の間の領域には、室内上面材３３が設けられる。室内上面材３３は金属材からなり略薄板状をなすように形成される。室内上面材３３の室外端部は、内レール３２の上端近傍に形成される突片３２ａに支持され、一方で室内上面材３３の室内端部は、上面被覆部材２６を構成する立ち上がり被覆部２６ｂの上端部分と係合する。
【００３４】
そして、室内上面材３３は、立ち上がり被覆部２６ｂが被覆する立ち上がり片２３に対しては、接触しないようにされている。これにより、室内上面材３３は金属下枠２０に対しては熱絶縁された状態となっている。また、室内上面材３３は、立ち上がり被覆部２６ｂの上端部分と内レール３２の上端近傍の突片３２ａにそれぞれ支持され取付けられているため、その上面３３ａは内レール３２や室内立ち上がり片２３の上端位置と略同じ高さとなっている。
【００３５】
このように、内レール３２と室内立ち上がり片２３の間に金属材からなる室内上面材３３を設け、室内上面材３３を金属下枠２０から熱絶縁されるように固定することで、下枠１１上面の強度を大きくしつつ、断熱性も確保することができる。また、室内上面材３３が取付けられる内レール部材３０も、前述のように金属下枠２０からは熱絶縁されているので、より断熱性の高い下枠フラットサッシとすることができる。
【００３６】
金属下枠２０の外レール２１と網戸レール２２の間には、室外上面材３６が取付けられる。室外上面材３６は、金属下枠２０の上面及び網戸レール２２の室内面にそれぞれ係合して固定されており、上面３６ａは内レール３２や外レール２１の上端位置と略同じ高さを有すると共に、網戸４の室内面近傍から外障子３の室外面近傍に渡るように形成されている。
【００３７】
室外上面材３６の上面３６ａと中間上面材３４の上面３４ａ、及び室内上面材３３の上面３３ａは、これまで説明したようにいずれも網戸レール２２、外レール２１、内レール３２、及び室内立ち上がり片２３の上端位置と略同じ高さを有しており、しかもこれらの高さは枠体１の室内側の床材と略同じ高さを有している。これによって下枠１１の上面は、全体として室内外に渡って略平坦な敷居面１３を構成している。
【００３８】
内障子２と外障子３は、それぞれ室外面が敷居面１３よりも下方まで垂下されており、その垂下部分にはそれぞれ気密材２ａ、３ａが設けられている。内障子２の気密材２ａは、内レール３２の室外面に当接し、外障子３の気密材３ａは、外レール２１の室外面に当接し、それぞれ内障子２及び外障子３と枠体１間の気密性を確保している。また、中間上面材３４には室内面に気密材３４ｃが設けられており、この気密材３４ｃが内障子２の室外面に当接することで、気密性をより高くしている。
【００３９】
図５には、枠体１の横断面図を示している。この図に示すように、下枠１１の内レール３２と外レール２１の間の領域には、中央部に中央気密ブロック３７が設けられる。中央気密ブロック３７は、内障子２と外障子３が閉じた状態において召合せ部分となる位置に設けられており、上面には複数のヒレが形成されて召合せ部分における気密性を確保する。
【００４０】
下枠１１の内レール３２と外レール２１の間の領域であって、中央気密ブロック３７の左右には、それぞれ前述の中間上面材３４が設けられる。このように、中間上面材３４が長手方向の所定間隔おきに設けられる小片状の上面材取付部品３５によって保持固定されることにより、上面材取付部品３５間の領域においては、中間上面材３４と金属下枠２０上面が空間を有して対向することとなる。このため、内レール３２と中間上面材３４との間の領域に水が浸入しても、中間上面材３４と金属下枠２０上面間の空間から中間上面材３４の室外側に水を円滑に流すことができ、排水を効率的に行うことができる。
【００４１】
なお、金属下枠２０上面の中間上面材３４と外レール２１との間の領域には、底面に排水孔が形成されており、中間上面材３４の室内側及び室外側に浸入した水はこの排水孔から金属下枠２０の中空内部に導かれた上で、室外側に排水される。
【００４２】
図５は図２と同じ向きに描かれており、下枠１１の平面を表している。したがって図中左側に外障子３が配置され、図中右側に内障子２が配置される。外障子３が配置される側の中間上面材３４は、室内側に露出するため、断熱性を確保するために金属下枠２０とは熱的に遮断される必要がある。このため、図中左側の外障子３が配置される側の上面材取付部品３５は、樹脂材によって形成される。これによって、中間上面材３４は金属下枠２０と熱絶縁されるため、断熱性を向上させることができる。
【００４３】
一方、図中右側の内障子２が配置される側については、障子が閉じた状態において中間上面材３４が室内側に露出しないため、上面材取付部品３５は金属材であってもよい。ただし、ここでも樹脂材により形成された上面材取付部品３５を用いてもよい。
【００４４】
下枠１１の内レール３２と室内立ち上がり片２３の間に設けられる室内上面材３３は、下枠１１の長手方向略全長に渡るように設けられる。ただし、下枠１１のうち外障子３が配置される側の縦枠１２に隣接する位置には、内障子２をスライドさせた際に当接して、スライド端部を規定する戸当たりストッパー４０が設けられ、下枠１１のうち内障子２が配置される側の縦枠１２に隣接する位置には、縦枠１２の内周突出片１２ｃにより形成される凹部分を塞ぐようにコーナーブロック４１が設けられており、室内上面材３３はこれら戸当たりストッパー４０とコーナーブロック４１の間に渡るように設けられている。
【００４５】
室内上面材３３は、内障子２と外障子３の召し合わせ位置となる中央部において、長手方向に分割されている。そして、左右の室内上面材３３の両端部には、それぞれ端部キャップ３８が設けられている。下枠１１の中央部においては、室内上面材３３が分割されているので、端部キャップ３８が隣り合うように配置されることとなる。また、下枠１１の両端部においては、前述のように戸当たりストッパー４０とコーナーブロック４１によって縦枠１２に隣接する位置が塞がれていて、端部キャップ３８は縦枠１２からやや離れた位置に配置される。これにより、内周面に凹凸を有した縦枠１２によって端部キャップ３８による室内上面材３３の脱着が妨げられることがないようにすることができる。
【００４６】
図６には、端部キャップ３８の斜視図を示している。この図に示すように、端部キャップ３８は室内上面材３３に隣接して配置される本体部３８ａと、室内上面材３３に端面から挿入される挿入部３８ｂとを有して構成されている。また、本体部３８ａには、室外側に面するように半円形状の切欠が形成されており、この切欠内に係止片３８ｃ及び操作部３８ｄが弾性腕部３８ｅを介して本体部３８ａと一体形成されている。
【００４７】
係止片３８ｃは、室外側に向かって突出状に形成されている。また、係止片３８ｃの先端部は本体部３８ａの室外端部よりも室外側に突出するようにされている。係止片３８ｃを支持する弾性腕部３８ｅは、本体部３８ａの両側から係止片３８ｃを懸架する細幅状に形成されており、室内外方向に弾性変形可能とされている。なお、端部キャップ３８は合成樹脂により形成されているので、弾性腕部３８ｅは室内外方向に大きく弾性変形することができる。
【００４８】
操作部３８ｄは、係止片３８ｃの根元部上面から上方に突出し、本体部３８ａの切欠に沿う円弧状をなすように形成されている。操作部３８ｄを室内側に引くように操作することで、弾性腕部３８ｅは室内側に弾性変形し、それに伴い係止片３８ｃも室内側に移動する。操作部３８ｄから手を離すと、弾性力により弾性腕部３８ｅは室外側に移動し、係止片３８ｃも元の位置に戻る。
【００４９】
端部キャップ３８は、挿入部３８ｂを室内上面材３３の端面から挿入することにより、室内上面材３３に対して固定されて一体化される。室内上面材３３を下枠１１に取付けるにあたっては、予め端部キャップ３８を室内上面材３３と一体化しておき、室内上面材３３が係止片３８ｃを有した状態としておく。そして、端部キャップ３８に設けられた操作部３８ｄを室内側に引くことで弾性腕部３８ｅを撓ませて、係止片３８ｃを室内側に移動させ、その状態で室内上面材３３を下枠１１の所定位置に取付ける。続いて操作部３８ｄを元に戻して係止片３８ｃを元の状態とすることで、係止片３８ｃは内レール３２の突片３２ａに対して弾発係止される。これによって、室内上面材３３は下枠１１に対して固定される。
【００５０】
逆に、室内上面材３３が下枠１１に固定された状態において、操作部３８ｄを室内側に引くように操作することで、係止片３８ｃの突片３２ａに対する弾発係止状態は解除され、その状態で室内上面材３３を下枠１１から取り外すことができる。すなわち、簡単な操作で室内上面材３３を容易に取り外すことができる。
【００５１】
図７には、端部キャップ３８の取付位置における拡大縦断面図を示している。この図に示すように、端部キャップ３８の挿入部３８ｂは、室内上面材３３の下面側の形状に略適合する断面形状を有して挿入自在とされている。また、端部キャップ３８の係止片３８ｃは、本体部３８ａの室外端部よりも室外側に突出して、内レール３２の突片３２ａに対し下枠１１の見込方向である室内外方向に弾発係止された状態となっている。
【００５２】
このように、室内上面材３３に係止片３８ｃを有する端部キャップ３８を設け、係止片３８ｃを下枠１１に対して室内外方向に弾発係止自在としたことにより、室内上面材３３を下枠１１に対して脱着容易とすることができ、下枠１１の上面における内レール３２と室内立ち上がり片２３の間を容易に清掃することができる。
【００５３】
また、室内上面材３３を内障子２と外障子３の召し合わせ部分で長手方向に分割し、左右それぞれの室内上面材３３の両端部に係止片３８ｃを有する端部キャップ３８を設けているので、内障子２や外障子３を枠体１から取り外すことなく、室内上面材３３を脱着することができる。
【００５４】
以上、本発明の実施形態について説明したが、本発明の適用は本実施形態には限られず、その技術的思想の範囲内において様々に適用されうるものである。例えば、本実施形態では、室内上面材３３に設けられる係止片３８ｃを、端部キャップ３８に形成することとしたが、室内上面材３３本体に係止片３８ｃを設けるようにしてもよい。
【００５５】
また、室内上面材３３を下枠１１に固定する構成として本実施形態では下枠１１に対し見込方向に弾発係止自在な係止片３８ｃを設けているが、室内上面材３３が下枠１１に対して見込方向に弾発係合するものであればよく、例えば室内上面材３３に室内外方向に伸縮自在なバネ等の弾性体を設けて、下枠１１に対し弾発係合するように構成してもよい。
【図面の簡単な説明】
【００５６】
【図１】本実施形態における下枠フラットサッシの縦断面図である。
【図２】本実施形態における下枠フラットサッシの横断面図である。
【図３】図１の下枠付近拡大図である。
【図４】下枠の分解断面図である。
【図５】枠体の横断面図である。
【図６】端部キャップの斜視図である。
【図７】端部キャップの取付位置における拡大縦断面図である。
【符号の説明】
【００５７】
１    枠体
２    内障子
３    外障子
４    網戸
５    框体
６    パネル体
７    戸車
１０    上枠
１１    下枠
１２    縦枠
１３    敷居面
２０    金属下枠
２１    外レール
２２    網戸レール
２３    室内立ち上がり片
２４    樹脂枠係合片
２５    樹脂下枠
２６    上面被覆部材
２７    室内面被覆部材
２９    凹部
３０    内レール部材
３１    基部
３２    内レール
３３    室内上面材
３４    中間上面材
３５    上面材取付部品
３８    端部キャップ
３８ａ  本体部
３８ｂ  挿入部
３８ｃ  係止片
３８ｄ  操作部
４０    戸当たりブロック
４１    コーナーブロック
【図１】
2010133186.tif 000003
【図２】
2010133186.tif 000004
【図３】
2010133186.tif 000005
【図４】
2010133186.tif 000006
【図５】
2010133186.tif 000007
【図６】
2010133186.tif 000008
【図７】
2010133186.tif 000009